(57)【要約】【課題】シリンダヘッドの材質保護のため、インジェクタをシリンダヘッドに取り付ける支持部材とシリンダヘッドとの間に硬質材が配置されていても、シリンダヘッドに対する吸気管端部の押圧力を確保できるようにする。【解決手段】多シリンダエンジンにおける吸気管１０の端部フランジ１２が締め付けボルト１１によりシリンダヘッド１０の上面に組み付けられて、フランジ１２上に鋼鉄製スペーサ３が配置され、スペーサ３の頂面とインジェクタ２の棚部４上面とに跨る支持部材５が取付けボルト８によりシリンダヘッド１０側へ付勢されて、インジェクタ２がシリンダヘッド１０に取り付けられている。【選択図】　　　　図１
2004076661.tif 000002
【特許請求の範囲】
【請求項１】
支持部材がボルトによりシリンダヘッドに取り付けられ、上記支持部材における一方の端部がインジェクタを上記シリンダヘッド側へ付勢すると共に、他方の端部が硬質材を上記シリンダヘッド側へ付勢し、上記硬質材が吸気管の端部を上記シリンダヘッドへ押圧するように構成されたインジェクタ取付け装置。
【請求項２】
請求項１において、上記吸気管の端部を上記シリンダヘッドへ組み付けるボルトの頂部が上記硬質材を形成するインジェクタ取付け装置。
【請求項３】
支持部材がボルトによりシリンダヘッドに取り付けられ、上記支持部材における一方の端部がインジェクタを上記シリンダヘッド側へ付勢すると共に、他方の端部が硬質の吸気管端部を上記シリンダヘッドへ押圧するように構成されたインジェクタ取付け装置。
【発明の詳細な説明】
【０００１】
【発明の属する技術分野】
本発明は、車両等のエンジンにおいて、シリンダ内へ燃料を噴射するインジェクタをシリンダヘッドに取り付けるための装置に関する。
【０００２】
【従来の技術】
米国特許第３７６９９４８号にかかるインジェクタ取付け装置は、図４に示されているように、エンジンのシリンダヘッド１にインジェクタ２が嵌め込まれ、シリンダヘッド１の上面に配置された鋼鉄製スペーサ３の頂面と、インジェクタ２に形成された棚部４の上面との間に、それぞれ支持部材５における一方の端部６と他方の二股端部７とをかけわたした状態で、シリンダヘッド１への取付けボルト８により支持部材５をシリンダヘッド１側へ付勢して、インジェクタ２がシリンダヘッド１に取り付けられている。
【０００３】
この場合、スペーサ３の頂面と支持部材端部６との接触部分が支持部材５の支点となっているが、この支点にかかる荷重はスペーサ３を介してシリンダヘッド１には面圧として作用し、シリンダヘッド１に集中荷重が働くことを確実に回避することにより、シリンダヘッド１が比較的軟質の材料で形成されていても、シリンダヘッド１に局部的な座屈が生じることを防止することができる。
【０００４】
しかしながら、直立ポート式多シリンダエンジンにあっては、上記従来装置と同等部分には同一符号を付けた図５に例示されているように、インレットマニホールドの各吸気管１０は、シリンダヘッド１に対してそれぞれ複数の締め付けボルト１１により組み付けることにより、シリンダヘッド１及び吸気管１０間のシール性を確保することが望ましいが、シリンダヘッド１の材質保護のため上記のようにスペーサ３を採用すると、場所的制約から各吸気管１０はそれぞれ１本の締め付けボルト１１によりシリンダヘッド１へ組み付けざるをえなくなる場合があるという問題があった。
【０００５】
【発明が解決しようとする課題】
本発明は、シリンダヘッドの材質保護のため、インジェクタをシリンダヘッドに取り付ける支持部材とシリンダヘッドとの間に硬質材が配置されていても、シリンダヘッドに対する吸気管の押圧力を確保できるようにしようとするものである。
【０００６】
【課題を解決するための手段】
このため、本発明にかかるインジェクタ取付け装置は、支持部材がボルトによりシリンダヘッドに取り付けられ、上記支持部材における一方の端部がインジェクタを上記シリンダヘッド側へ付勢すると共に、他方の端部が硬質材を上記シリンダヘッド側へ付勢し、上記硬質材が吸気管の端部を上記シリンダヘッドへ押圧するように構成されている。
【０００７】
すなわち、支持部材の一方の端部によりシリンダヘッド側へ付勢される硬質材が吸気管の端部をシリンダヘッドへ押圧しているので、シリンダヘッドに対する支持部材の支点に硬質材が配置されていても、上記付勢力がシリンダヘッドに対する吸気管端部の組付け力として作用するため、吸気管端部の組付けを確実とすることが可能となる。
【０００８】
【発明の実施の形態】
以下、図面に示す本発明の各実施形態例について、前記従来装置との同等部分にはそれぞれ同一符号を付けて説明する。
図１において、車両用直立ポート式多シリンダエンジンのアルミ材製シリンダヘッド１へ各シリンダ毎にインジェクタ２が嵌め込まれていると共に、インレットマニホールドにおける各吸気管１０の端部フランジ１２はそれぞれ１本の締め付けボルト１１によりシリンダヘッド１の上面に組み付けられている。
【０００９】
また、各吸気管１０の端部フランジ１２上に鋼鉄製スペーサ３が配置されており、スペーサ３の頂面と、インジェクタ２に形成された棚部４の上面との間に、それぞれ支持部材５における一方の端部６と他方の二股端部７とをかけわたした状態で、シリンダヘッド１への取付けボルト８により支持部材５をシリンダヘッド１側へ付勢して、インジェクタ２がシリンダヘッド１に取り付けられている。
【００１０】
このとき、スペーサ３の頂面と支持部材端部６との接触部分が支持部材５の支点となっていて、この支点にかかる荷重はスペーサ３を介してシリンダヘッド１には吸気管端部フランジ１２からの面圧として作用し、シリンダヘッド１に集中荷重が働くことを確実に回避することにより、シリンダヘッド１が比較的軟質のアルミ材製等であっても、シリンダヘッド１に局部的な座屈が生じることを容易に防止することができる。
【００１１】
さらに、各吸気管１０の端部フランジ１２は、それぞれ１本の締め付けボルト１１と上記支点にかかる荷重とによりシリンダヘッド１の上面へ押し付けられて、シリンダヘッド１に対し強固に組み付けられているため、シリンダヘッド１及び吸気管端部フランジ１２間のシール性を十分に、かつ、容易に向上させることができる。
【００１２】
図２に示された実施形態例では、インレットマニホールドにおける各吸気管１０の端部フランジ１２がそれぞれ締め付けボルト１１、１３によりシリンダヘッド１の上面に組み付けられ、締め付けボルト１３の頂部に一体成形された略半球体１４が支持部材５の端部６と係合して、それらの接触面が支持部材５の支点となっており、他の構造は上記実施形態例と変わるところがない。
【００１３】
すなわち、この実施形態例にあっては、シリンダヘッド１上面の空間が狭隘であっても、各吸気管１０の端部フランジ１２はそれぞれ２本の締め付けボルト１１、１３によりシリンダヘッド１の上面へ強く押し付けられていると共に、上記支点にかかる荷重によってもシリンダヘッド１の上面へ一層強く押し付けられる結果、端部フランジ１２がシリンダヘッド１に対し強固に組み付けられているため、シリンダヘッド１及び吸気管端部フランジ１２間のシール性を十分に、かつ、容易に向上させることができる。
【００１４】
なお、上記実施形態例では、締め付けボルト１３の頂部に支持部材５から荷重が作用する略半球体１４が一体成形されているが、これを他の形状、例えば、スペーサ３のような長方体を一体成形し、あるいは、介在させるようにしても、上記実施形態例と同様な作用効果を奏することができるのはいうまでもない。
【００１５】
図３に示された実施形態例では、インレットマニホールド自体が比較的硬質の鉄鋼材料で形成されていて、インレットマニホールドにおける各吸気管１０の端部フランジ１２に支持部材５の端部６が直接的に係合し、それらの接触面が支持部材５の支点となっており、他の構造は上記各実施形態例と変わるところがない。
【００１６】
すなわち、この実施形態例にあっても、各吸気管１０の端部フランジ１２は、それぞれ締め付けボルト１１と上記支点にかかる荷重とによりシリンダヘッド１の上面へ強く押し付けられて、シリンダヘッド１に対し強固に組み付けられ、シリンダヘッド１及び吸気管端部フランジ１２間のシール性を十分に確保できる一方、所要部品点数を削減することができる。
【００１７】
この場合、必ずしもインレットマニホールド全体を比較的硬質の材料で形成する必要はなく、例えば、吸気管１０の端部フランジ１２のうち、支持部材５の端部６が係合する部分を焼入れ等によりとくに硬化させるようにしてもよく、また、インレットマニホールドの材質は鉄鋼等の金属に限定されることはなく、支持部材端部６からの押圧力に対して座屈等がほとんど生じない強度を有する樹脂材料等としてもよいものである。
【００１８】
【発明の効果】
本発明にかかるインジェクタ取付け装置においては、支持部材の一方の端部によりシリンダヘッド側へ付勢される硬質材が吸気管の端部をシリンダヘッドへ押圧して、上記付勢力がシリンダヘッドに対する吸気管端部の組付け力として作用するので、吸気管端部の組付けを確実とすることが可能となって、吸気管端部及びシリンダヘッド間のシール性を容易に向上させうる特色がある。
【図面の簡単な説明】
【図１】本発明の実施形態例における要部縦断面図。
【図２】本発明の他の実施形態例における要部縦断面図。
【図３】本発明の他の実施形態例における要部縦断面図。
【図４】従来装置の要部縦断面図。
【図５】従来装置の要部縦断面図。
【符号の説明】
１　シリンダヘッド
２　インジェクタ
３　スペーサ
５　支持部材
８　取付けボルト
１０　吸気管
１１　締め付けボルト
１２　フランジ
１３　締め付けボルト
１４　半球体
【図１】
2004076661.tif 000003
【図２】
2004076661.tif 000004
【図３】
2004076661.tif 000005
【図４】
2004076661.tif 000006
【図５】
2004076661.tif 000007